(57)【特許請求の範囲】
【請求項１】
上下方向に鉄筋が設けられた柱梁架構の構面に構築される第１耐震壁と前記第１耐震壁の上に構築される第２耐震壁を備えた耐震壁であって、
前記第１耐震壁は、
積み上げ面となる上面及び下面が両端部から中央部に向かって傾斜した傾斜平面と、前記傾斜平面の下端部及び上端部に形成された面取りと、を備えた第１ブロックが、前記傾斜平面を上下に重ねて積層されて構成され、
前記第２耐震壁は、
端部と中央部に凹部を備えた２つのブロックを前記第１耐震壁の面外方向に対向させ接着して形成され、積み上げ面となる上面及び下面が両端部から中央部に向かって傾斜した傾斜平面と、前記傾斜平面の下端部及び上端部に形成された面取りと、を備えた第２ブロックが、前記傾斜平面を上下に重ねて積層されて構築され、
前記第２ブロックは、
前記中央部の凹部が組み合わされて形成される上下に貫通し前記第１耐震壁の面外方向に開口していない第１貫通孔と、前記第２ブロックを前記第１耐震壁の面内方向に沿って対向させて前記端部の凹部が組み合わされて形成される上下に貫通し前記第１貫通孔と非連通とされた第２貫通孔と、を備え、第１貫通孔及び前記第２貫通孔へ前記鉄筋が挿通された、
耐震壁。
【請求項２】
上下方向に鉄筋が設けられた柱梁架構の構面に第１耐震壁を構築し前記第１耐震壁の上に第２耐震壁を構築する耐震壁構築方法であって、
積み上げ面となる上面及び下面が両端部から中央部に向かって傾斜した傾斜平面と、前記傾斜平面の下端部及び上端部に形成された面取りと、を備えた第１ブロックを、前記傾斜平面を上下に重ねて積層し、前記柱梁架構の構面に、高さ方向の中段まで第１耐震壁を構築する工程と、
端部と中央部に凹部を備えた２つのブロックを前記第１耐震壁の面外方向に対向させ接着して形成され積み上げ面となる上面及び下面が両端部から中央部に向かって傾斜した傾斜平面と、前記傾斜平面の下端部及び上端部に形成された面取りと、を備えた第２ブロックを、前記傾斜平面を上下に重ねて積層して前記第１耐震壁の上に第２耐震壁を構築する工程と、を備え、
前記第２ブロックは、
前記中央部の凹部を組み合わせて形成する上下に貫通し前記第１耐震壁の面外方向に開口していない第１貫通孔と、前記第２ブロックを前記第１耐震壁の面内方向に沿って対向させて前記端部の凹部を組み合わせて形成する上下に貫通し前記第１貫通孔と非連通とされた第２貫通孔と、を備え、第１貫通孔及び前記第２貫通孔へ前記鉄筋を挿通する、
耐震壁構築方法。
【発明の詳細な説明】
【技術分野】
【０００１】
本発明は、耐震壁、及び耐震壁構築方法に関する。
【背景技術】
【０００２】
既存建物を耐震補強する方法の１つとして、既存建物の柱と梁に囲まれた構面に、現場打ちコンクリートやブロック積み等で耐震壁を構築し、柱梁架構の水平耐力及び剛性を高くする方法がある。ブロック積みで耐震壁を構築する方法は、現場でのコンクリート打設作業を必要としないため、施工中に既存建物を使用できる長所がある。
しかし、ブロック積みは、柱梁架構の構面内において、ブロックの挿通孔に縦筋を挿通させながら落とし込む作業となるため、積み上げ高さが高くなると施工性が低下する。更に、正面視が矩形に形成されたブロックは、上面と下面が横方向へ直線状に形成されているため、上面と下面の摩擦力だけでは上下のブロックがずれてしまい、地震時等の横荷重を受けることができない。
ブロック積みで耐震壁を構築する技術には、例えば特許文献１がある。
【０００３】
特許文献１に記載のブロックは、正面視が矩形のコンクリート製のブロックを厚さ方向に二分割した半割り形状であり、矩形の平板部と、平板部の一方の表面から突出部を突出させた構成である。また、特許文献１の耐震壁は、平板部から突出部を突出させたブロックの突出部側を、縦筋を挟んで、横方向から重ね合わせて積層し、突出部側に形成された隙間にグラウト材を充填させる構成である。このため、ブロックの挿通孔に縦筋を挿通させながら落とし込むという工程が不要となり、ブロックの積み上げ高さが高くなると施工性が低下する、という問題は改善される。
【先行技術文献】
【特許文献】
【０００４】
【特許文献１】特開２００３−４９５４５号公報
【発明の概要】
【発明が解決しようとする課題】
【０００５】
しかし、特許文献１に記載の耐震壁は、正面視が矩形のブロックを厚さ方向に分割した構成であるため、地震時等の横荷重を受けた時、上下のブロックがずれて横荷重を負担できない、という問題は改善されていない。
【０００６】
本発明は、上記事実に鑑み、積み上げ高さが高くなった状態でも縦筋を配筋できると共に、横荷重を負担できるブロック、耐震壁、及び耐震壁構築方法を提供することを目的とする。
【課題を解決するための手段】
【０００７】
一態様に係るブロックは、合わせた状態で上下に貫通する貫通孔を形成する凹部を有し、積み上げ面となる上面及び下面が両端部から中央部に向かって傾斜する傾斜平面を備え、前記傾斜平面が上下に重ねられて積層されることを特徴としている。
【０００８】
一態様に係るブロックによれば、ブロックは、積み上げ面となる上面及び下面が、両端部から中央部に向かって傾斜する傾斜平面を備えており、ブロックで積み上げられた壁体を正面視したとき、傾斜平面同士が上下に重ねられて波形に連続する。この波形は、ブロックの上面及び下面に形成されるため、ブロックの高さの間隔で、上下方向に複数形成される。これにより、上下のブロックのずれが抑制され、地震時等の横荷重を、上面及び下面に形成された傾斜平面へ、支圧としてブロックに負担させることができる。
また、ブロックは、厚さ方向へ合わせた状態で上下に貫通する貫通孔を形成する凹部を有しているため、壁体の表側と裏側から、凹部を合わせて縦鉄筋を囲み、形成された貫通孔にグラウトを充填することでブロック壁を構築することができる。この結果、積み上げ高さが高くなっても縦筋が配筋でき、施工性の低下を抑制することができる。
【０００９】
請求項１に記載の発明に係る耐震壁は、上下方向に鉄筋が設けられた柱梁架構の構面に構築される第１耐震壁と前記第１耐震壁の上に構築される第２耐震壁を備えた耐震壁であって、前記第１耐震壁は、積み上げ面となる上面及び下面が両端部から中央部に向かって傾斜した傾斜平面と、前記傾斜平面の下端部及び上端部に形成された面取りと、を備えた第１ブロックが、前記傾斜平面を上下に重ねて積層されて構成され、前記第２耐震壁は、端部と中央部に凹部を備えた２つのブロックを前記第１耐震壁の面外方向に対向させ接着して形成され、積み上げ面となる上面及び下面が両端部から中央部に向かって傾斜した傾斜平面と、前記傾斜平面の下端部及び上端部に形成された面取りと、を備えた第２ブロックが、前記傾斜平面を上下に重ねて積層されて構築され、前記第２ブロックは、前記中央部の凹部が組み合わされて形成される上下に貫通し前記第１耐震壁の面外方向に開口していない第１貫通孔と、前記第２ブロックを前記第１耐震壁の面内方向に沿って対向させて前記端部の凹部が組み合わされて形成される上下に貫通し前記第１貫通孔と非連通とされた第２貫通孔と、を備え、第１貫通孔及び前記第２貫通孔へ前記鉄筋が挿通されている。
【００１０】
請求項１に記載の発明によれば、第１ブロックで構築された第１耐震壁の上に、第２ブロックで構築された第２耐震壁が構築される。
ここに、第１ブロックは、内部に上下方向へ貫通する貫通孔を有し、積み上げ面となる上面及び下面が両端部から中央部に向かって傾斜する傾斜平面を備えており、貫通孔を孔軸方向へ分離するように分割されていない。このため、縦鉄筋を貫通孔に挿入させて落とし込み、傾斜平面同士を上下に重ねて積層できる。
これにより、ブロックを合わせて貫通孔を形成する必要がなく、耐震壁の高さ方向の中間位置までは、従来通り容易に構築することができる。
【００１１】
一方、第２ブロックは、合わせた状態で上下に貫通する貫通孔を形成する凹部を有し、積み上げ面となる上面及び下面が両端部から中央部に向かって傾斜する傾斜平面を備えており、表側のブロックと裏側のブロックに分割されている。このため、耐震壁の高さ方向の中間位置以上であっても、壁体の正面側及び裏面側から横方向へ移動させ、凹部で縦鉄筋を囲みながら積層することができる。
この結果、積み上げ高さが高くなっても縦筋が配筋でき、また施工性の低下を抑制することができる。
【００１２】
請求項２に記載の発明に係る耐震壁構築方法は、  上下方向に鉄筋が設けられた柱梁架構の構面に第１耐震壁を構築し前記第１耐震壁の上に第２耐震壁を構築する耐震壁構築方法であって、積み上げ面となる上面及び下面が両端部から中央部に向かって傾斜した傾斜平面と、前記傾斜平面の下端部及び上端部に形成された面取りと、を備えた第１ブロックを、前記傾斜平面を上下に重ねて積層し、前記柱梁架構の構面に、高さ方向の中段まで第１耐震壁を構築する工程と、端部と中央部に凹部を備えた２つのブロックを前記第１耐震壁の面外方向に対向させ接着して形成され積み上げ面となる上面及び下面が両端部から中央部に向かって傾斜した傾斜平面と、前記傾斜平面の下端部及び上端部に形成された面取りと、を備えた第２ブロックを、前記傾斜平面を上下に重ねて積層して前記第１耐震壁の上に第２耐震壁を構築する工程と、を備え、前記第２ブロックは、前記中央部の凹部を組み合わせて形成する上下に貫通し前記第１耐震壁の面外方向に開口していない第１貫通孔と、前記第２ブロックを前記第１耐震壁の面内方向に沿って対向させて前記端部の凹部を組み合わせて形成する上下に貫通し前記第１貫通孔と非連通とされた第２貫通孔と、を備え、第１貫通孔及び前記第２貫通孔へ前記鉄筋を挿通する。
【００１３】
請求項２に記載の発明によれば、第１耐震壁を構築する工程において、柱梁架構の構面に、第１ブロックが傾斜平面同士を上下に重ねて積層される。
ここに、第１ブロックは、内部に上下方向へ貫通する貫通孔を有し、積み上げ面となる上面及び下面が、両端部から中央部に向かって傾斜する傾斜平面を備え、貫通孔を孔軸方向へ分離するように分割されていない。第１耐震壁は、耐震壁全体の高さの中段（半分程度）まで、落とし込み方式で構築される。
【００１４】
続いて、第２耐震壁を構築する工程において、第１耐震壁の上に、第２ブロックが傾斜平面同士を上下に重ねて積層される。
ここに、第２ブロックは、合わせた状態で上下に貫通する貫通孔を形成する凹部を有し、積み上げ面となる上面及び下面が、両端部から中央部に向かって傾斜する傾斜平面を備え、表側のブロックと裏側のブロックに分割されている。第２耐震壁は、耐震壁の中段以上から最上段まで、横方向から縦筋を挟んで積層されて構築される。
これにより、第１耐震壁と第２耐震壁の積み上げ面となる上面及び下面が、両端部から中央部に向かって傾斜する傾斜平面を備えた第１ブロックと第２ブロックにより構築されるので、上面及び下面を介して、支圧として第１ブロックと第２ブロックに横荷重を負担させることができる。
また、厚さ方向に分割された第２ブロックにより、第２耐震壁が、横方向から積層されて構築されるので、積み上げ高さが高くなった状態でも縦筋が配筋でき、また施工性の低下を抑制できる。
一態様に係る耐震壁は、壁体と、前記壁体の一方の側面に半割ブロックを積層させて構築されるブロック壁と、を備えた耐震壁であって、前記半割ブロックは、積み上げ面となる上面及び下面が両端部から中央部に向かって傾斜した傾斜平面と、前記壁体と対向する面の端部及び中央部に形成された凹部と、を備え、前記ブロック壁は、前記中央部の凹部と前記壁体とで形成される第１貫通孔と、前記半割ブロックを前記壁体の面内方向に沿って対向させて前記端部の凹部と前記壁体とで形成される上下に貫通する第２貫通孔と、を備え、第１貫通孔及び前記第２貫通孔へ鉄筋が挿通されて形成された、耐震壁。
【発明の効果】
【００１５】
本発明は、上記構成としてあるので、積み上げ高さが高くなった状態でも施工性の低下を抑制できると共に、上面と下面を介して横荷重を負担できるブロック、耐震壁、及び耐震壁構築方法を提供することができる。
【図面の簡単な説明】
【００１６】
【図１】（Ａ）は本発明の第１実施形態に係るブロックの基本構成を示す斜視図、（Ｂ）は（Ａ）を接合する前の一方のブロック、（Ｃ）は他方のブロックである。
【図２】本発明の第２実施形態に係る耐震壁の基本構成を示す正面図である。
【図３】（Ａ）は本発明の第２実施形態に係る第１耐震壁を構築するブロックの斜視図であり、（Ｂ）は第１耐震壁及び第２耐震壁の左右方向端部に用いられるブロックの斜視図である。
【図４】（Ａ）、（Ｂ）はいずれも本発明の第２実施形態に係る第２耐震壁の構築手順を説明するための斜視図である。
【図５】（Ａ）、（Ｂ）はいずれも本発明の第２実施形態に係る第２耐震壁の構築手順を説明するための斜視図である。
【図６】本発明の第２実施形態に係る耐震壁におけるブロック間の圧縮力の伝達を模式的に示す正面図である。
【図７】本発明の第３実施形態に係る耐震壁の構築段階を示す斜視図である。
【発明を実施するための形態】
【００１７】
（第１実施形態）
本発明の第１実施形態に係るブロック１０について、図１（Ａ）〜（Ｃ）を用いて説明する。ここに、図１（Ａ）はブロック１０の斜視図を、（Ｂ）と（Ｃ）は、（Ａ）を接合面２８で接合する前のブロック１２Ａ、１２Ｂの斜視図をそれぞれ示している。
【００１８】
図１（Ａ）に示すブロック１０は、図１（Ｂ）に示すブロック１２Ａの接合面２８Ａと、図１（Ｃ）に示す１２Ｂの接合面２８ＢをＹ軸方向（横方向）へ移動させて当接させ、重ね合わせて接着剤で接合させた構成である。
ブロック１０の中央部には、上下に貫通する挿通孔（貫通孔）１４が形成されている。挿通孔１４は、図示しない縦鉄筋が挿通される貫通孔であり、ブロック１２Ａの凹部１６Ａと、ブロック１２Ｂの凹部１６Ｂで形成される。
【００１９】
ブロック１０の積み上げ面となる上面１８は、ブロック１２Ａの上面１８Ａとブロック１２Ｂの上面１８Ｂで形成され、下面２０は、ブロック１２Ａの下面２０Ａとブロック１２Ｂの下面２０Ｂで形成される。上面１８と下面２０は、両端部１０Ｒ、１０Ｌから中央部に向かって傾斜する傾斜平面とされている。このため、ブロック１０は、傾斜平面同士を上下に重ねて積層される。
【００２０】
本構成によれば、ブロック１０は、積み上げ面となる上面１８及び下面２０が、両端部１０Ｒ、１０Ｌから中央部に向かって、傾斜する傾斜平面を備えており、後述する第２実施形態で説明するように、ブロック１０で構築された壁体を正面視したとき、傾斜平面同士が上下に重ねられて波形に連続する。この波形は、ブロック１０の上面１８及び下面２０に形成されるため、ブロック１０の高さの間隔で、上下方向に複数形成される。
これにより、地震時等の横荷重を、上面１８及び下面２０に形成された傾斜平面を介して、支圧としてブロック１０に直接負担させることができる。
【００２１】
また、ブロック１０の中央部には、上下に貫通する挿通孔１４が形成されている。挿通孔１４は、ブロック１２Ａの凹部１６Ａと、ブロック１２Ｂの凹部１６Ｂを合わせた状態で形成されている。これにより、ブロック１２Ａとブロック１２Ｂを横方向へ移動させて、壁体の正面側と裏面側から、挿通孔１４で縦鉄筋を囲み、形成された挿通孔１４の隙間にグラウトを充填することで、壁体を構築することができる。このとき、挿通孔１４は十分な強度をもって接着剤で接着されているので、挿通孔１４に充填されたグラウトが、外へ漏れることはない。
この結果、積み上げ高さが高くなっても縦鉄筋を容易に挿通でき、施工性の低下を抑制することができる。
【００２２】
なお、本実施形態では、ブロック１０の接合面２８は、ブロック１０の厚さＤの中央部に形成される場合について説明した。しかし、これに限定さされることはなく、ブロック１２Ａ、１２Ｂのいずれか一方が、他方より厚い形状で形成されていてもよい。
また、接合面２８Ａ、２８Ｂが、ブロック１２Ａ、１２Ｂの正面２４Ａ、２４Ｂと平行な構成の場合で説明した。しかし、これに限定されることはなく、接合面２８Ａ、２８Ｂが、ブロック１２Ａ、１２Ｂの正面２６Ａ、２６Ｂと傾斜していてもよい。これにより、接合面の表面積を増やすことができる。
【００２３】
（第２実施形態）
本発明の第２実施形態に係る耐震壁３０について、図２〜図６を用いて説明する。
図２は、耐震壁３０の正面図、図３（Ａ）、（Ｂ）はブロック３６、５６の斜視図、図４（Ａ）〜図５（Ｂ）は、耐震壁３０の構築手順を示す斜視図である。図６は耐震壁３０の圧縮力の伝達を模式的に示す正面図である。
【００２４】
図２に示すように、耐震壁３０は、補強される建物の既存の柱３２と、隣りの柱３２との間に渡された既存の下側の梁３４Ｄ、及び上側の梁３４Ｕで囲まれた、柱梁架構２２の構面に構築されている。耐震壁３０は、下部に構築される下部耐震壁（第１耐震壁）３８と、下部耐震壁３８の上部に構築される上部耐震壁（第２耐震壁）４０と、で構成されている。なお、下部耐震壁３８には、便宜上、網掛けを施している。
【００２５】
下部耐震壁３８は、図３（Ａ）に示すブロック３６、及び図３（Ｂ）に示すブロック５６を積み上げて構築されている。ブロック３６は、プレキャストコンクリート製とされ、内部に上下方向へ貫通する縦筋挿通孔（貫通孔）４２を有し、積み上げ面となる上面４４及び下面４６が、両側面３６Ｒ、３６Ｌから中央部に向かって傾斜する傾斜平面を備えている。ブロック３６は、落とし込み方式で、傾斜平面同士を上下に重ねて積層される。
【００２６】
図３（Ａ）に示すように、ブロック３６は、下部耐震壁３８を正面視したとき、ブロック３６の積み上げ面となる上面４４及び下面４６が、両端部から中央部に向かって傾斜する傾斜平面を備えている。
積み重ね（積み上げ）に際しては、上面４４と下面４６の傾斜平面同士が上下に重ねられる。これにより、下部耐震壁３８を正面視したとき、傾斜平面同士が上下に重ねられて波形に連続している。この波形は、ブロック３６、５６の高さの間隔をあけて、上下方向に複数形成されている。
【００２７】
ブロック３６の上面４４及び下面４６は、両側面３６Ｒ、３６Ｌから中央部に向かって、中央部が狭くなる方向へ直線状に傾斜している。即ち、正面視において、上面４４は中央部に向かって下方へ傾斜し、下面４６は中央部に向かって上方へ傾斜し、羽根を広げた蝶々の形状となっている。このため、ブロック３６は、互いに幅方向の半分ずつ、横方向へずらせて積み重ねられる。
なお、図示は省略するが、ブロック３６の上面４４及び下面４６が、両側面３６Ｒ、３６Ｌから中央部に向かって、中央部が厚くなる方向へ直線状に傾斜する形状でもよい。
【００２８】
一方、ブロック３６の正面４８及び裏面５０は、互いに平行に形成され、下部耐震壁３８を構築したとき、下部耐震壁３８の正面及び裏面の一部を構成する。また、ブロック３６の両側面３６Ｒ、３６Ｌも平行に形成され、下部耐震壁３８を構築したとき、後述する隣り合うブロック３６の側面と当接される。
【００２９】
ブロック３６の中央部には、縦筋挿通孔（貫通孔）４２が形成されている。縦筋挿通孔４２は、上面４４及び下面４６と交差する方向に形成され、孔軸方向へ分割するように分割されていない。これにより、分割された場合に必要とされる、ブロック同士を接合する手間を必要としない。縦鉄筋５２が配筋された位置では、縦鉄筋５２が挿通される。
下部耐震壁３８の正面視において、縦目地となるブロック３６の両側面３６Ｒ、３６Ｌには、上面４４及び下面４６と交差する方向に、半円筒状の凹部５４Ｒ、５４Ｌが形成されている。凹部５４Ｒ、５４Ｌには、縦鉄筋５２が挿通される。
ここに、縦鉄筋５２は、柱梁架構２２の高さの半分程度の長さを有し、梁３４Ｄの上面に上方へ向けて取付けられており、上端部は開放されている。
【００３０】
なお、図３（Ｂ）に示すブロック５６は、ブロック３６を、幅方向の中心で鉛直方向へ二分割した構成である。即ち、上面５８と下面６０は、ブロック３６の上面４４と下面４６と同じ傾斜を有し、幅方向の半分の大きさであり、正面６２及び裏面６４は、互いに平行に形成され、ブロック３６の正面４８及び裏面５０の半分の大きさである。また、側面５６Ｒ、５６Ｌには、ブロック３６と同じ径の凹部６６Ｒ、６６Ｌが形成されている。
ブロック５６は、ブロック３６を、横方向に半ブロック分ずらせて積層した場合に発生する、両端部の半ブロック分の隙間に積層される。
【００３１】
なお、図２には、下部耐震壁３８の最下段と下側の梁３４Ｄの上面との間の隙間に、グラウト６８を充填させる構成を記載した。しかし、これに限定されることはなく、例えば、ブロック３６を水平方向に切断したブロック、即ち、底面が平らで、上面には、中央部が両端部より低い傾斜面を備えたブロックを配置してもよい（図示省略）。
これにより、下部耐震壁３８の最下段をより安定させることができる。
【００３２】
上部耐震壁４０は、ブロック１０、５６を、下部耐震壁３８の上に積み上げて構築される。ブロック１０は、第１実施形態で説明したブロックであり、ブロック１２Ａ、１２Ｂを横方向に移動させ、縦鉄筋５３を凹部に挟んで接合面２８Ａ、２８Ｂを当接させ、合わせた状態で接着させる。ここに縦鉄筋５３は、梁３４Ｕの下面に下方へ向けて取付けられており、下端部は縦鉄筋５２と接合されている。なお、縦鉄筋５３を長さ方向に分割し、縦鉄筋５２の上端部と梁３４Ｕの下面の間を、分割された縦鉄筋５３で順次接合しながら連結してもよい。
【００３３】
これにより、縦鉄筋５３が挿通された縦筋挿通孔１４が形成される。即ち、ブロック１０は、耐震壁３０の表側と裏側から、ブロック１２Ａ、１２Ｂを横方向に移動させて、傾斜平面同士を上下に重ねて積層される。ブロック５６は、ブロック１０を、横方向に半ブロック分ずらせて積層した場合に発生する、両端部の半ブロック分の隙間に積層される。
【００３４】
図４（Ａ）、（Ｂ）に示すように、ブロック１０は、先ず、厚さ方向に分割されたブロック１２Ａを上部耐震壁４０の一方の側から、凹部１６Ａで縦鉄筋５３の一方を囲み、下部耐震壁３８の上に、横方向から積み重ねる。これにより、落し込み方式によらずに、積み増すことができる。
【００３５】
次に、図５（Ａ）（Ｂ）に示すように、厚さ方向に分割されているブロック１２Ｂを上部耐震壁４０の他方の側（例えば上部耐震壁４０の裏側）から、ブロック１２Ａと対向させて、下部耐震壁３８の上に横方向から積み増す。これにより、上部耐震壁４０が、高さ方向の中間位置以上の高さであっても、耐震壁（壁体）３０の表面側及び裏面側から、凹部１６Ａ、１６Ｂで縦鉄筋５３を囲みながら積層することができる。
この結果、積み上げ高さが高くなっても、縦鉄筋５３が配筋でき、また施工性の低下を抑制することができる。
【００３６】
以上説明したように、耐震壁３０は、ブロック３６で構築された下部耐震壁３８の上に、ブロック１０、５６で構築された上部耐震壁４０が構築される。
下部耐震壁３８は、ブロック３６、５６で積層される、ここに、ブロック３６は、縦筋挿通孔４２の孔軸方向へ分離するように、厚さ方向に分割されていない。このため、ブロックを合わせて縦筋挿通孔４２を形成する必要がなく、縦鉄筋５２を縦筋挿通孔４２に挿入させて、落とし込み方式で、傾斜平面同士を上下に重ねて積層できる。
これにより、耐震壁３０の高さ方向の中間位置程度までは、従来通り容易に構築することができる。
【００３７】
また、上部耐震壁４０は、厚さ方向に分割されているブロック１２Ｂを上部耐震壁４０の他方の側から、ブロック１２Ａと対向させて、下部耐震壁３８の上に横方向から積み増す。これにより、落し込み方式によらずに、積み増すことができる。即ち、縦鉄筋５３が配筋でき、また耐震壁３０の上部を、施工性の低下を抑制して構築することができる。
【００３８】
次に、耐震壁３０の構築方法について説明する。
先ず、図２に示すように、柱梁架構２２の構面内に、下部耐震壁３８が構築される。
具体的には、縦鉄筋５２が、梁３４Ｄの上面から突出して取付けられる。縦鉄筋５２の長さは、例えば、耐震壁３０の高さの半分程度の長さ（耐震壁３０の高さによって定まる作業性を考慮した適切な長さ）とされる。
【００３９】
続いて、縦鉄筋５２の所定の高さまで（目安としては１段目〜５段目程度まで）ブロック３６が積み重ねられる。このとき、ブロック３６は、縦筋挿通孔４２及び凹部５４Ｒ、５４Ｌに縦鉄筋５２を挿通させ、落とし込み方式で積み重ねられる。ブロック３６の横方向端部には、ブロック５６が積層される。
【００４０】
次に、下部耐震壁３８の上に上部耐震壁４０が構築される。
具体的には、縦鉄筋５３が梁３４Ｕの下面から突出して取付けられる。縦鉄筋５３の下端部は縦鉄筋５２の上端部と接合され、上下方向に連続した縦鉄筋とされる。縦鉄筋５２と縦鉄筋５３が接合された状態では、落し込み方式を採用できないので、ブロック３６は積層できない。
【００４１】
このため、図４（Ａ）〜図５（Ｂ）に示すように、ブロック１０が積層される。ブロック１０は、表側と裏側のブロックに分割された状態のブロック１２Ａ、１２Ｂを、梁１８に達する手前の高さまで、縦鉄筋５３を挟んで、耐震壁３０の表側と裏側から、横方向に積み上げることができる。積層されたブロック１２Ａ、１２Ｂが再び分離しないよう、接着剤で接着される。ブロック１０の横方向の端部に、半ブロック分の隙間が生じる場合には、ブロック５６が積層される。
【００４２】
最後に、柱３２と下部耐震壁３８、上部耐震壁４０との隙間、及びブロック３６、５６、１０の縦筋挿通孔４２、ブロック間の凹部４４Ｒ、４４Ｌ等の隙間等に、グラウト６８が充填される（図２参照）。ブロック１０は接着剤で接着されているので、グラウト６８が縦筋挿通孔４２から漏れることはない。なお、グラウト６８は、各ブロック３６、１０を積み上げる度に充填しても良い。グラウト６８の硬化を待って耐震壁３０が完成する。
【００４３】
次に、耐震壁３０を構成するブロック１０、３６、５６間の圧縮力の伝達について説明する。
図６に示すように、耐震壁３０を構成するブロック１０、３６、５６の上面１８、４４、５８、及び下面２０、４６、６０には、両端部から中央部に向かって、若しくは一方の端部から他方の端部へ向かって、傾斜する傾斜平面が設けられている。この傾斜平面は、耐震壁３０を正面視したとき、傾斜平面同士が上下に重ねられて波形に、横方向へ連続している。この波形は、ブロック３６、１４の高さの間隔をあけて、上下方向に複数形成されている。
【００４４】
これにより、一方の柱３２を介して耐震壁３０へ、矢印Ｐ１で示す水平力（横荷重）が作用したとき、ブロック１０、３６、５６には、矢印Ｐ２、Ｐ３、Ｐ４…Ｐｍで示す水平力が、傾斜面に沿って支圧として押下げ方向へ順次作用する。伝達された水平力は、他方の柱３２で受け止められ、梁３４Ｕ、３４Ｄに伝達される。水平力が反対方向の場合には、他方の柱３２から一方の柱３２へ伝達される。
【００４５】
これにより、耐震壁３０の水平方向への移動が抑制される。つまり、ブロック１０、３６、５６の上面と下面に形成された傾斜平面同士が、上下に重ねられて波形とされているので、矢印Ｐ１で示す水平力を、上面と下面を介してブロック１０、３６、５６に負担させることができる。
この結果、柱梁架構２２の水平耐力及び剛性を高くすることができる。
【００４６】
なお、本実施形態では、既存の柱３２、既存の梁３４Ｄ、３４Ｕで形成される柱梁架構２２の構面に、耐震壁３０を構築する構成について説明した。しかし、これに限定されることはなく、新築の柱、新築の梁で形成される柱梁架構２２の構面に構築してもよい。
【００４７】
（第３実施形態）
本発明の第３実施形態に係る耐震壁７０について、図７を用いて説明する。
図７は、耐震壁７０の構築段階を示す斜視図である。
図７に示すように、耐震壁７０は、既存の壁７６を有し、壁７６の一方の側面に、第１実施形態で説明した半割のブロック１２Ａ、１２Ｂを積層した構成である。ブロック１２Ａ、１２Ｂは、厚さ方向に分割された形状であり、分割された形状のまま、上面１８Ａ、２０Ｂと下面２０Ａ、２０Ｂの傾斜面同士を、横方向に半ブロック分ずらせて積層されている。
【００４８】
このとき、ブロック１２Ａ、１２Ｂは、切断面２８Ａ、２８Ｂを壁７０と当接させ、凹部１６Ａ、１６Ｂの位置に縦鉄筋５３を通し、隙間部にグラウトを充填させることで、水平力に抵抗できるようにしている。
なお、ブロック１２Ａ、１２Ｂを、横方向に半ブロック分ずらせて積層した場合に発生する、両端部の半ブロック分の隙間には、第２実施形態で説明したブロック５６を、厚さ方向へ分割したブロック（図示省略）を積層すれば良い。
【００４９】
また、最下段には、第２実施形態で説明した、ブロック１２Ａ、１２Ｂを横方向に切断したブロックの上部（図示省略）を積層しても良い。なお、縦鉄筋５３は必ずしも必要ではない。これにより、壁厚の増大を押えた、耐震補強を行うことができる。
なお、壁７６は、新設の壁であっても良い。また、壁７６は、鉄筋コンクリート壁、レンガ壁、ブロック壁、各種ボードを用いた乾式壁等であってもよい。また、壁７６と耐震壁７０は、一体化させても、一体化させなくてもよい。
更に、既存の壁７６が無い場所であっても、隙間部にグラウト６８を充填するための型枠が設置できれば、ブロック１２Ａ、１２Ｂを上下方向に積層して、隙間部にグラウト６８を充填することで耐震壁７０を構築することができる。
【符号の説明】
【００５０】
１０  ブロック（第２ブロック）
１２Ａ、１２Ｂ  ブロック
１４、４２  縦筋挿通孔（貫通孔）
１６Ａ、１６Ｂ  凹部
１８、４４、５８  上面
２０、４６、６０  下面
２２  柱梁架構
２４Ｒ、５４Ｒ、６６Ｒ  凹部
２４Ｌ、５４Ｌ、６６Ｌ  凹部
３２  柱
３４Ｄ  下側の梁
３４Ｕ  上側の梁
３６  ブロック（第１ブロック）
３０  耐震壁
３８  下部耐震壁（第１耐震壁）
４０  上部耐震壁（第２耐震壁）
５６  ブロック
【図１】
0006674191.tif 000002
【図２】
0006674191.tif 000003
【図３】
0006674191.tif 000004
【図４】
0006674191.tif 000005
【図５】
0006674191.tif 000006
【図６】
0006674191.tif 000007
【図７】
0006674191.tif 000008